(57)【要約】【課題】セルフジャッジでのテニスの試合において、特に長時間、炎天下の下での試合になったときスコアがわからなくなったり、間違えてもめ事になったり、試合に集中できなくなる課題があった。【解決手段】ゲームポイント数を連番であらかじめ表記した欄と必要に応じて設けるセット別勝敗およびセットポイント数を表記できる欄と対戦するチームまたは相手を表記できる欄とカラーマグネットボタンを対戦するチームまたは相手別に色を分けて置く欄を設け対戦するチームまたは相手の欄を並列して表示したホワイトボードに試合の進行に応じたゲームポイントおよびセットポイント勝敗をカラーマグネットボタンを移動させることで表示でき、セットポイント数と対戦するチームまたは相手はホワイトボードマーカーでの記入とホワイトボード用イレーザーでの消去ができる平面に静置できることを特徴とするテニスカウンターを提供する。【選択図】図１
2018046927.tif 000002
【特許請求の範囲】
【請求項１】
一つのテニスコートの試合において、ゲームポイント数を連番であらかじめ表記した欄と必要に応じて設けるセット別勝敗およびセットポイント数を表記できる欄と対戦するチームまたは相手を表記できる欄とカラーマグネットボタンを対戦するチームまたは相手別に色を分けて置く欄を設け対戦するチームまたは相手の欄を並列して表示したホワイトボードに試合の進行に応じたゲームポイントおよびセットポイント勝敗をカラーマグネットボタンを移動させることで表示でき、セットポイント数と対戦するチームまたは相手はホワイトボードマーカーでの記入とホワイトボード用イレーザーでの消去ができることを特徴とするテニスカウンター。
【請求項２】
テニスカウンターのポイント等の表示部分が見えるようにした状態で、下部を水平にくの字に折り曲げた構造にしたり（図３、図４）、ホワイトボードの下部に穴をあけ支持台１（６）に蝶ボルト（５）で圧着したり（図５、図６）、支持台２（６ａ）にホワイトボード下部と嵌合する溝を設け蝶ボルト（５）で圧着したり（図７、図８）、ホワイトボード下部に２か所切り欠き（７）を設け取り付けた蝶ボルト（５）を緩めた状態で蝶ボルト（５）をガイドにしてホワイトボードの切り欠き部を挿入した後蝶ボルト（５）で圧着したり（図９、図１０）、支持台３（６ｂ）にホワイトボード下部と嵌合と係止ができる溝を設けたり（図１１、図１２）、支持台（６）にホワイトボード下部を接着したり（図１３、図１４）、支持台４（６ｃ）にホワイトボード下部と嵌合と係止ができる溝を設けたり（図１５、図１６）、支持台５（６ｄ）にホワイトボード下部を折り曲げた部分を嵌合と係止ができる溝を設けること（図１７、図１８）で、平面に静置できることを特徴とするテニスカウンター。
【発明の詳細な説明】
【技術分野】
【０００１】
テニスの試合において、特に審判がいないセルフジャッジの試合において、試合途中でお互いのセットポイントやゲームポイントがわからなくなることなく、試合を行っている選手が現状の各ポイントを容易に表示することができるテニスカウンターに関する。
【背景技術】
【０００２】
テニス愛好家が行っているテニスの試合はセルフジャッジで行うことが多く、３セットマッチ等で試合が長時間に及んだり、炎天下での下では頭がボーとしてきて、セットカウントやゲームカウントがわからなくなってくることがあった。
【先行技術文献】
【特許文献】
【０００３】
【特許文献１】特開平６−１９８０１５テニススコア表示装置があるが、多機能であり操作方法を習得する必要があったり、スイッチの押し間違いによる誤操作も懸念される。
【特許文献２】特開２０１１−１５６１８２テニススコアカウンターがあるが、１セット分の表示しかできないため、３セット、５セットマッチの試合では各セットの結果をいずれかに記録しておかないと忘れることがある。携帯方式のためあまり大きなものにできず、シニア層には数字が読みにくい欠点がある。
【非特許文献】
【０００４】
【非特許文献１】メモ用紙に結果を記録していく方法もあるが、風に飛ばされたり、表の作成、スコア更新の記入が面倒であった。
【発明の概要】
【発明が解決しようとする課題】
【０００５】
セルフジャッジでのテニスの試合において、特に長時間、炎天下の下での試合になったときスコアがわからなくなったり、間違えてもめ事になったり、試合に集中できなくなる課題があった。
【課題を解決するための手段】
【０００６】
上記の課題を解決するため、一つのテニスコートの試合において、ゲームポイント数を連番であらかじめ表記した欄と必要に応じて設けるセット別勝敗およびセットポイント数を表記できる欄と対戦するチームまたは相手を表記できる欄とカラーマグネットボタンを対戦するチームまたは相手別に色を分けて置く欄を設け対戦するチームまたは相手の欄を並列して表示したホワイトボードに試合の進行に応じたゲームポイントおよびセットポイント勝敗をカラーマグネットボタンを移動させることで表示でき、セットポイント数と対戦するチームまたは相手はホワイトボードマーカーでの記入とホワイトボード用イレーザーでの消去ができることを特徴とするテニスカウンター。また、テニスカウンターのポイント等の表示部分が見えるようにした状態で、下部を水平にくの字に折り曲げた構造にしたり（図３、図４）、ホワイトボードの下部に穴をあけ支持台１（６）に蝶ボルト（５）で圧着したり（図５、図６）、支持台２（６ａ）にホワイトボード下部と嵌合する溝を設け蝶ボルト（５）で圧着したり（図７、図８）、ホワイトボード下部に２か所切り欠き（７）を設け取り付けた蝶ボルト（５）を緩めた状態で蝶ボルト（５）をガイドにしてホワイトボードの切り欠き部を挿入した後蝶ボルト（５）で圧着したり（図９、図１０）、支持台３（６ｂ）にホワイトボード下部と嵌合と係止ができる溝を設けたり（図１１、図１２）、支持台（６）にホワイトボード下部を接着したり（図１３、図１４）、支持台４（６ｃ）にホワイトボード下部と嵌合と係止ができる溝を設けたり（図１５、図１６）、支持台５（６ｄ）にホワイトボード下部を折り曲げた部分を嵌合と係止ができる溝を設けること（図１７、図１８）で、平面に静置できることを特徴とするテニスカウンターを提供する。
【発明の効果】
【０００７】
特にセルフジャッジで行うテニスの試合において、試合が長時間に及んでも、炎天下の下で頭がもうろうとしてくるときでもスコアを忘れるたり間違えることがなく、容易に現在のスコアを表示でき、選手相互でスコアに誤りがないかの確認もでき、すでに終了したセットカウント結果も明示できることで試合に集中することが出来る。
【図面の簡単な説明】
【０００８】
【図１】テニススコア表示の一例
【図２】テニススコア表示の他の一例
【図３】テニスカウンター１の正面図
【図４】テニスカウンター１の右側面図
【図５】テニスカウンター２の正面図
【図６】テニスカウンター２の右側面図
【図７】テニスカウンター３の正面図
【図８】テニスカウンター３の右側面図
【図９】テニスカウンター４の正面図
【図１０】テニスカウンター４の右側面図
【図１１】テニスカウンター５の正面図
【図１２】テニスカウンター５の右側面図
【図１３】テニスカウンター６の正面図
【図１４】テニスカウンター６の右側面図
【図１５】テニスカウンター７の正面図
【図１６】テニスカウンター７の右側面図
【図１７】テニスカウンター８の正面図
【図１８】テニスカウンター８の右側面図
【発明を実施するための形態】
【０００９】
特にセルフジャッジで行うテニスの試合に利用するテニスカウンターにおいて、ゲームポイント数を連番であらかじめ表記した欄と必要に応じて設けるセット別勝敗およびセットポイント数を表記できる欄と対戦するチームまたは相手を表記できる欄とカラーマグネットボタンを対戦するチームまたは相手別に色を分けて置く欄を設け対戦するチームまたは相手の欄を並列して表示したホワイトボードに試合の進行に応じたゲームポイントおよびセットポイント勝敗をカラーマグネットボタンを移動させることで表示でき、セットポイント数と対戦するチームまたは相手はホワイトボードマーカーでの記入とホワイトボード用イレーザーでの消去ができることを特徴とする。テニスカウンターのポイント等の表示部分が見えるようにした状態で、下部を水平にくの字に折り曲げた構造にしたり（図３、図４）、ホワイトボードの下部に穴をあけ支持台１（６）に蝶ボルト（５）で圧着したり（図５、図６）、支持台２（６ａ）にホワイトボード下部と嵌合する溝を設け蝶ボルト（５）で圧着したり（図７、図８）、ホワイトボード下部に２か所切り欠き（７）を設け取り付けた蝶ボルト（５）を緩めた状態で蝶ボルト（５）をガイドにしてホワイトボードの切り欠き部を挿入した後蝶ボルト（５）で圧着したり（図９、図１０）、支持台３（６ｂ）にホワイトボード下部と嵌合と係止ができる溝を設けたり（図１１、図１２）、支持台（６）にホワイトボード下部を接着したり（図１３、図１４）、支持台４（６ｃ）にホワイトボード下部と嵌合と係止ができる溝を設けたり（図１５、図１６）、支持台５（６ｄ）にホワイトボード下部を折り曲げた部分を嵌合と係止ができる溝を設けること（図１７、図１８）で、平面に静置できることを特徴とするテニスカウンター。
【実施例】
【００１０】
縦３０ｃｍ横１８ｃｍ厚み１ｍｍのホワイトボードに縦１８ｃｍ横１２ｃｍの外枠で縦長の図１に示す得点表を油性マジックでホワイトボードの上方に作成し、下部１０ｃｍの位置で図４に示すように６０度の角度に折り曲げた。得点表はプリント加工や印刷した方がきれいで線が消えにくい。折り曲げ角度は９０度でもよいが、斜め上方から見たとき見やすいように９０度以下の方がよい。折り曲げ後ベンチの平面で静置できることを確認しホワイトボードマーカーでの記入とカラーマグネットボタンの移動がスムーズにできることを確認した。カラーマグネットボタンは高さが高く指で持ち上げやすいキノコ型のものを使用し、図１に例示するようにさくらチームは青色、ももチームは赤色ににした。図１に示す例示はさくらチームが１セット目６対３で勝利し、２セット目はさくらチームが２対１でゲームをリードしていることを示す。チーム名、１セット目のスコアはホワイトボードマーカーで記入したものである。チームで試合を行う場合、選手が入れ替わって数試合行うため、試合結果を試合報告書に記録後、選手が入れ替わる都度セットカウントはホワイトボード用イレーザーで消して、カラーマグネットボタンは定位置へ戻して新たな試合を始める。ホワイトボードマーカーはホワイトボード用イレーザー付でホワイトボードにくっつく磁石付きのものをホワイトボードの空いた位置へくっつけておくと便利である。実施例のテニスカウンターを実際のセルフジャッジの試合で使用し、操作性がよいこと、スコア忘れがなく試合に集中できることを確認した。また、対戦相手にも好評であった。テニス愛好家のレベルでは３セット６ゲームマッチが主流であるが、シニアの試合は体力面を考慮して１セット８ゲームマッチが主流になっており、その時は図２に示す得点表が有効である。
【産業上の利用可能性】
【００１１】
本発明は特にセルフジャッジで行うテニスの試合において、平面に静置して見やすく、現在のゲームカウント、セットカウントの結果を選手双方で確認ができ、カウントの表示もカラーマグネットボタンを移動することで容易にでき、チーム名または選手名とセットカウント結果の数字がホワイトボードマーカーとホワイトボード用イレーザーで容易に記入と消去ができるスコアがわからなくなったり間違えたりしないテニスカウンターを安価に提供でき、広く利用されるものである。
【符号の説明】
【００１２】
１      ホワイトボード１
１ａ     ホワイトボード２
２      得点表１
２ａ     得点表２
３      チームＡ用カラーマグネットボタン
４      チームＢ用カラーマグネットボタン
５      蝶ボルト
６      支持台１
６ａ     支持台２
６ｂ     支持台３
６ｃ     支持台４
６ｄ        支持台５
７      切り欠き
８      接着部
【図１】
2018046927.tif 000003
【図２】
2018046927.tif 000004
【図３】
2018046927.tif 000005
【図４】
2018046927.tif 000006
【図５】
2018046927.tif 000007
【図６】
2018046927.tif 000008
【図７】
2018046927.tif 000009
【図８】
2018046927.tif 000010
【図９】
2018046927.tif 000011
【図１０】
2018046927.tif 000012
【図１１】
2018046927.tif 000013
【図１２】
2018046927.tif 000014
【図１３】
2018046927.tif 000015
【図１４】
2018046927.tif 000016
【図１５】
2018046927.tif 000017
【図１６】
2018046927.tif 000018
【図１７】
2018046927.tif 000019
【図１８】
2018046927.tif 000020